(57)【要約】【課題】全面において均等な高反発力を有し、かつ、複数の人が一緒に跳躍でき、更に、安価で容易に設置できる跳躍具及び跳躍装置を提供する。【解決手段】複数の伸縮性を有する線条２が立体的に不規則に絡まって部分的に溶着された立体網状構造体１からなる。前記線条２を熱可塑性樹脂で形成する。前記立体網状構造体１の外面を可撓性材料からなる被覆材１０で被覆する。【選択図】図８
2005224453.tif 000002
【特許請求の範囲】
【請求項１】
複数の伸縮性を有する線条が立体的に不規則に絡まって部分的に溶着された立体網状構造体からなることを特徴とする跳躍具。
【請求項２】
前記線条を熱可塑性樹脂で形成した請求項１記載の跳躍具。
【請求項３】
前記線条をＥＶＡ樹脂で形成した請求項２記載の跳躍具。
【請求項４】
前記立体網状構造体を、その表面部分の密度を、この表面部分より下の主体部分の密度よりも大きくした請求項１乃至３のいずれかに記載の跳躍具。
【請求項５】
前記立体網状構造体を所望の厚みに形成し、これを複数積み重ねて形成した請求項１又は２又は３記載の跳躍具。
【請求項６】
前記立体網状構造体を所望の厚みに形成し、これを複数積み重ね、かつ、これら複数の立体網状構造体を、弾性係数が異なる立体網状構造体の組み合わせにした請求項１又は２又は３記載の跳躍具。
【請求項７】
前記線条の密度を変えて弾性係数を変えた立体網状構造体で構成した請求項６記載の跳躍具。
【請求項８】
前記立体網状構造体を所望の厚みに形成し、これを複数積み重ね、その最上部の立体網状構造体の密度を、この最上部以外の立体網状構造体の密度よりも大きくした請求項５記載の跳躍具。
【請求項９】
前記立体網状構造体の表面に、弾性材からなる板材を設けた請求項１又は２又は３又は５又は６又は７記載の跳躍具。
【請求項１０】
前記立体網状構造体を複数平面的に接触状態で配置し、これらの接触面の上面部に可撓性材料からなる接続板を、接触させた両立体網状構造体に跨るように配置し、該接続板を両立体網状構造体に止着した請求項１乃至９のいずれかに記載の跳躍具。
【請求項１１】
前記立体網状構造体の外面を可撓性材料からなる被覆材で被覆した請求項１乃至１０のいずれかに記載の跳躍具。
【請求項１２】
複数の伸縮性を有する線条が立体的に不規則に絡まって部分的に溶着された立体網状構造体を平坦面に敷設してなる跳躍装置。
【請求項１３】
複数の伸縮性を有する線条が立体的に不規則に絡まって部分的に溶着された立体網状構造体を傾斜面に敷設してなる跳躍装置。
【請求項１４】
複数の伸縮性を有する線条が立体的に不規則に絡まって部分的に溶着された立体網状構造体を複数積み重ねるとともに、下層から上層に至るにつれて立体網状構造体の表面積を小さくして段状に構成した跳躍装置。
【請求項１５】
前記立体網状構造体を複数平面的に接触状態で配置し、これらの接触面の上面部に可撓性材料からなる接続板を、接触させた両立体網状構造体に跨るように配置し、該接続板を両立体網状構造体に止着した請求項１２乃至１４のいずれかに記載の跳躍装置。
【請求項１６】
前記立体網状構造体の外面を可撓性材料からなる被覆材で被覆した請求項１２乃至１５のいずれかに記載の跳躍装置。
【発明の詳細な説明】
【技術分野】
【０００１】
本発明は跳躍具と跳躍装置に関する。
【背景技術】
【０００２】
従来、跳躍具として布の四方をスプリングにより周枠に連結したトランポリンが知られている。
【０００３】
しかし、このトランポリンにおいては、その布の中芯部においては跳躍時の反発力が強いが、布の周辺近傍においては、反発力が弱いため、布の全面において高反発力で跳躍したり、複数の人間が同時に布の中央部や布の周辺近傍において高反発力により跳躍することはできない。
【０００４】
更に、トランポリンは、周枠や複数のスプリングや布から構成されるためコストも高くなり、また、その大きさを、多人数の幼児などが部屋全体において跳躍できるような大きさにしたり、小人数で跳躍するために小範囲の大きさに変更することはできない。
【発明の開示】
【発明が解決しようとする課題】
【０００５】
本発明は前記の課題を解決し、全面において均等な高反発力により跳躍することができ、かつ、低コストで製造でき、更に、跳躍できる面積を容易に変更でき、更に、種々な場所に容易に設置できるなどの特長を有する跳躍具と、該跳躍具を用いた跳躍装置を提供することを目的とするものである。
【課題を解決するための手段】
【０００６】
本発明は複数の伸縮性を有する線条を立体的に不規則に絡めて部分的に溶着した立体網状構造体を用いて、その高反発力を利用して跳躍できるようにしたことを主要な特徴とするもので、
この目的を達成するために、請求項１記載の発明は、複数の伸縮性を有する線条が立体的に不規則に絡まって部分的に溶着された立体網状構造体からなることを特徴とする跳躍具である。
【０００７】
請求項２記載の発明は、請求項１記載の発明において、前記線条を熱可塑性樹脂で形成した跳躍具である。
【０００８】
請求項１及び２記載の発明の立体網状構造体を床等に敷設して、この上で人が跳躍すると、その荷重により各線条が伸長したり屈曲してその表面が窪み、その後、前記の伸長した線条は縮小方向へ復元し、また、前記の屈曲した線条が元状態に戻るように復元し、これらの復元力により大きな反発力が発生する。したがって、大きく跳躍することができる。
【０００９】
また、前記の立体網状構造体は、その全表面のどの部分においても前記の高反発力が得られるため、１枚の表面上において複数人が同時に跳躍しても、夫々独立して同等の高反発力による跳躍ができる。
【００１０】
また、この立体網状構造体は軽量で、かつ、単に床等に設置するのみで跳躍運動や跳躍の遊びができる。更に、このような跳躍具を所望の大きさに形成し、これを所望数連設することにより、跳躍する面積を容易に変更できる。
【００１１】
請求項３記載の発明は、請求項２記載の発明において、前記線条をＥＶＡ樹脂で形成した跳躍具である。
【００１２】
本発明においては、線条にＥＶＡ樹脂を使用したことにより、前記の反発力を一層高くすることができる。
【００１３】
請求項４記載の発明は、請求項１乃至３のいずれかに記載の発明において、前記立体網状構造体を、その表面部分の密度を、この表面部分より下の主体部分の密度よりも大きくした跳躍具である。
【００１４】
本発明においては、表面部分の密度が主体部分の密度よりも大きいため、跳躍時の人の着地時の荷重が密度の大きい表面部分の広い範囲にわたって作用し、一層高い反発力が得られる。
【００１５】
請求項５記載の発明は、請求項１又は２又は３記載の発明において、前記立体網状構造体を所望の厚みに形成し、これを複数積み重ねて形成した跳躍具である。
【００１６】
本発明によれば、複数の前記の立体網状構造体を用意し、これを所望数積み重ねて、所望の反発力を得ることができる。
【００１７】
請求項６記載の発明は、請求項１又は２又は３記載の発明において、前記立体網状構造体を所望の厚みに形成し、これを複数積み重ね、かつ、これら複数の立体網状構造体を、弾性係数が異なる立体網状構造体の組み合わせにした跳躍具である。
【００１８】
本発明においては、弾性係数の異なる立体網状構造体を所望の組み合わせで積み重ねることにより、反発力が異なる跳躍具が得られ、要求される種々な反発力に対応できる跳躍具を容易に提供できる。
【００１９】
請求項７記載の発明は、請求項６記載の発明において、前記線条の密度を変えて弾性係数を変えた立体網状構造体で構成した跳躍具である。
【００２０】
本発明においても前記請求項６記載の発明と同様の作用、効果が得られる。
【００２１】
請求項８記載の発明は、請求項５記載の発明において、前記立体網状構造体を所望の厚みに形成し、これを複数積み重ね、その最上部の立体網状構造体の密度を、この最上部以外の立体網状構造体の密度よりも大きくした跳躍具である。
【００２２】
本発明においても前記請求項４と同様の作用、効果が得られる。
【００２３】
請求項９記載の発明は、請求項１又は２又は３又は５又は６又は７記載の発明において、前記立体網状構造体の表面に、弾性材からなる板材を設けた跳躍具である。
【００２４】
本発明においても、前記請求項４と同様の作用、効果が得られる。
【００２５】
請求項１０記載の発明は、請求項１乃至９のいずれかに記載の発明において、前記立体網状構造体を複数平面的に接触状態で配置し、これらの接触面の上面部に可撓性材料からなる接続板を、接触させた両立体網状構造体に跨るように配置し、該接続板を両立体網状構造体に止着した跳躍具である。
【００２６】
本発明においては、平面的に接触状態で配置した立体網状構造体の接触面の近くで足が着地した場合に、両立体網状構造体間に段差が生じない。
【００２７】
請求項１１記載の発明は、請求項１乃至１０のいずれかに記載の発明において、前記立体網状構造体の外面を可撓性材料からなる被覆材で被覆した跳躍具である。
【００２８】
本発明においては、立体網状構造体の線条の材料として耐候性が低い材質のものを用いた場合に、被覆材によって立体網状構造体の耐候性を高めることができる。
【００２９】
請求項１２記載の発明は、複数の伸縮性を有する線条が立体的に不規則に絡まって部分的に溶着された立体網状構造体を平坦面に敷設してなる跳躍装置である。
【００３０】
本発明においては、前記のような高反発力による跳躍を平坦面上で行うことができる。
【００３１】
請求項１３記載の発明は、複数の伸縮性を有する線条が立体的に不規則に絡まって部分的に溶着された立体網状構造体を傾斜面に敷設してなる跳躍装置である。
【００３２】
本発明においては、人が傾斜面を転がったりしながら前記のような高反発力により飛び跳ねたりして下降する遊びができる。
【００３３】
請求項１４記載の発明は、複数の伸縮性を有する線条が立体的に不規則に絡まって部分的に溶着された立体網状構造体を複数積み重ねて多層とするとともに、下層から上層に至るにつれて立体網状構造体の表面積を小さくして段状に構成した跳躍装置である。
【００３４】
本発明においては、人が階段状の面を高反発力で跳躍しながら昇り降りして遊ぶことができる。
【００３５】
請求項１５記載の発明は、請求項１２乃至１４記載の発明において、前記立体網状構造体を複数平面的に接触状態で配置し、これらの接触面の上面部に可撓性材料からなる接続板を、接触させた両立体網状構造体に跨るように配置し、該接続板を両立体網状構造体に止着した跳躍装置である。
【００３６】
本発明においては、前記請求項１０と同様な作用、効果が得られる。
【００３７】
請求項１６記載の発明は、請求項１２乃至１５のいずれかに記載の発明において、前記立体網状構造体の外面を可撓性材料からなる被覆材で被覆した跳躍装置である。
【００３８】
本発明は、前記の跳躍装置を屋外に設けた場合に、その耐候性を、被覆材により高めることができる。
【発明の効果】
【００３９】
本発明は、高反発力を有する立体網状構造体により高く跳躍することができるとともに、この高反発力による跳躍が、跳躍具の表面全体において、どこでも均等に行うことができ、複数の人が同時に高反発力によって跳躍して運動したり遊ぶことができる。
【００４０】
更に、従来のトランポリンと比べて安価で、かつ、種々な場所に容易に設置でき、更に、広い範囲に連続して配置し、多数の人が一緒に跳躍することができる。
更に、使用場所に合った大きさの跳躍具を容易に形成することができる。
請求項６及び７記載の発明によれば、様々な反発力が異なる跳躍具が容易に得られる。
【００４１】
また、請求項１２の発明における跳躍装置においては、平坦面上で前記のような跳躍ができ、請求項１３の発明における跳躍装置においては、人が傾斜面を転がりながら前記のような高反発力により飛び跳ねたりして下降する遊びができ、更に、請求項１４の発明における跳躍装置においては、人が階段状の面を高反発力で跳躍しながら昇り降りして遊ぶことができる。
【００４２】
請求項１０及び１５の発明によれば、跳躍時に、隣接する跳躍具間に段差が生じない跳躍具及び跳躍装置を提供できる。
【００４３】
請求項１１及び１６の発明においては、更に、耐候性に優れた跳躍具及び跳躍装置を提供できる。
【発明を実施するための最良の形態】
【００４４】
本発明を実施するための最良の形態を図に示す実施例に基づいて説明する。
図１は本発明の跳躍具である立体網状構造体の斜視図、図２はその立体網状構造体の線条の絡み状態の拡大図、図３（ａ）（ｂ）はその線条の２例を示す図である。
【００４５】
立体網状構造体１は、例えば熱可塑樹脂からなる伸縮性を有する材料により長尺に連続した連続線条２が立体的に不規則に絡み合って、その相互の接触部３が溶着され、連続線条間に所定の空隙率の空隙４を有する構造体である。
【００４６】
前記伸縮性を有する連続線条２の原料としては、ポリエチレン、ポリプロピレンなどのポリオレフィン、ポリエチレンテレフタレートなどのポリエステル、ナイロン６６などのポリアミド、ポリ塩化ビニル、ポリスチレン、これらの樹脂をベースとし共重合したコポリマやエラストマー、ＥＶＡ樹脂、ＥＭＭＡ樹脂、上記各種の樹脂を混合したものなどである。これらの原料のうち、好ましくはＥＶＡ樹脂（エチレン酢酸ビニルコポリマー）やＥＭＭＡ樹脂（エチレン・メチルメタクリレートコポリマー）である。
【００４７】
また、前記立体網状構造体１の製造方法としては、例えば図４に示すように、押出成形
機５に形成した多数のノズルから前記の原料を、溶融状態で押し出して線条２とし、これを下降させ、この線条２を、並設された一対の無端状のコンベア６，７間に供給する。
【００４８】
この一対のコンベア６，７の間隔は、押し出された溶融樹脂の線条２からなる集合群の幅よりも狭く設定されており、この一対のコンベア６，７は、前記線条２の下降速度よりも遅く回転するようになっている。また、一対のコンベア６，７は冷却水８内に配置されている。
【００４９】
これにより、押出成形機５から押し出された溶融樹脂の線条２は、コンベア６，７間の水中において浮力などにより３次元方向に湾曲し、図２に示すように、線条相互が部分的に接触して溶着し、その後、この溶着部が冷却水により冷却されて、その接触部３が強固に結合されるとともに線条２が固化する。
【００５０】
そして、コンベア６，７から流れでることにより、所定の厚みの平板状の立体網状構造体１が得られ、これを必要な寸法に切断する。
【００５１】
なお、前記の線条２の供給本数、供給間隔、供給速度や一対のコンベア６と７の間の間隔、コンベア６，７の速度などを所望に設定することにより、空隙率、すなわち立体網状構造体１の密度を所望に設定することができ、この密度を所望に設定することにより、所望の弾性係数の立体網状構造体が得られる。
【００５２】
更に、溶融樹脂の線条２を、成形される立体網状構造体１の表面側となる、例えば図４の下側のコンベア７側に片寄って多数本供給することにより、成形された立体網状構造体１の片面（この面を使用時に表面部とする）の密度を高くし、表面部以外の部分の密度を小さくすることができる。
【００５３】
また、このように、表面側の密度を高めるには、溶融樹脂の線条２を押出成形機から等間隔に下降させ、その線条２の集合群の片側部における線条２が、一方のコンベアに多く集合するようにして、この部分の密度を高めるようにしてもよい。
【００５４】
また、前記の線条２は、押出成形機のノズルの形状により、図３（ａ）に示すように無中空に形成した線条２や図３（ｂ）に示すように中空状にした線条２を用いてもよいが、高反発力を得るためには図３（ｂ）に示すような中空状の線条２が好ましい。
【００５５】
次に前記のように製造された立体網状構造体１を使用した跳躍具について図５乃至図１１により説明する。
【００５６】
図５は跳躍具の第１実施例で、前記の立体網状構造体１のみで跳躍具１Ａを形成したものである。また、該跳躍具１Ａ全体を同等の空隙率（密度）で形成したものである。
【００５７】
この跳躍用マットとして使用する場合の立体網状構造体１の空隙率は８５％〜９８％の範囲が良く、より好ましくは６０〜９０％がよい。
【００５８】
この立体網状構造体１は、樹脂製で伸縮性を有する多数本の線条２が湾曲して部分的に結合されているため、この立体網状構造体１の上で人が跳躍してその表面における着地による荷重が作用すると、その部分の各線条２は伸長したり屈曲したりしてその表面がくぼむとともに周囲の線条も伸長する。その後、伸長した線条２に縮小方向への復元力が生じ、屈曲した線条２に元状態に戻る復元力が生じ、これらにより高反発力が発生する。そのため、この高反発力によって人が高く飛び跳ねることができ、跳躍具としての機能を有する。
【００５９】
また、前記立体網状構造体１は、その全体が同等の密度で同等の構造を有するため、その表面のど部分においても均等な高反発力が得られ、その表面のどの部分、例えば図６の矢印Ａ，Ｂ，Ｃの部分で複数の人が同時に飛び跳ねても夫々独立して同等の高反発力Ｐで跳躍することができる。
【００６０】
したがって、この跳躍具１Ａを広範囲に敷設して、移動しながら連続的に同じ反発力で跳躍したり、多数の者が一緒に跳躍して遊ぶことができる。
【００６１】
また、前記のように連続して長尺に製造された立体網状構造体１を所望の長さに切断するのみで所望の大きさの跳躍具１Ａが形成でき、敷設場所に適した大きさのものを容易に得ることができる。
【００６２】
更に、この跳躍具１Ａを所望の場所に敷設するだけで跳躍装置ができ、かつ、従来のトランポリンと比べて軽量で安価であるため、例えば幼稚園や学校、その他の場所で、容易に使用できる。
また、体重の軽い幼児が跳んでも、高反発力により高く跳ぶことができる。
【００６３】
また、跳躍中に転倒しても、体圧分散性に優れているため、一ヶ所に衝撃が加わらず安全性が高い。
更に、従来のトランポリンに比べて、材料の分別、リサイクルが容易である。
【００６４】
図７は跳躍具の第２実施例を示すもので、前記図５に示す立体網状構造体１において、その表面部分の密度を他の部分の密度よりも大きくして、密度が小さい（空隙率が大きい）主体部１ａと密度が大きい（空隙率が小さい）表層部１ｂを形成して跳躍具１Ｂを形成したものである。
【００６５】
このように表層部１ｂを主体部１ａより高い密度にするには、前記に述べた方法で製造することができる。
【００６６】
この実施例によれば、前記第１実施例の効果を発揮する上に、跳躍した場合に、局部的にへこむことなく、硬い表層部１ｂで荷重が分散され、一層高反発力が得られるとともに表層部１ａ上に着地した場合の安定性を高めることができる。
【００６７】
図８は跳躍具の第３実施例を示すもので、前記図５の実施例の立体網状構造体１の外面を布などの可撓性材料や伸縮性材料からなる被覆材１０により被覆して跳躍具１Ｃを形成したものである。
【００６８】
この実施例においては、前記第１実施例の効果を発揮する上に、立体網状構造体１の樹脂材料として耐候性に乏しい材料を使用した場合に、耐候性のあるテント用布などの被覆材１０で被覆することにより、耐候性のある跳躍具１Ｃを形成でき、これを屋外等に敷設して長期にわたり使用することができる。
【００６９】
図９は跳躍具の第４実施例を示すもので、前記の立体網状構造体１の表面に、該立体網状構造体１の密度よりも大きい（空隙率が小さい）立体網状構造体１ｃを別体に形成して積み重ね、これらの外面を前記のような被覆材１０で被覆して跳躍具１Ｄを形成したものである。
【００７０】
この実施例においては、前記図７の実施例の効果と前記図８の実施例の効果を発揮することができる。
【００７１】
図１０は跳躍具の第５実施例を示すもので、前記図５に示す立体網状構造体１からなる複数個の立体網状構造体１ｄ，１ｅ，１ｆを積み重ね、その最上部に前記図９に示した密度の大きい（空隙率の小さい）立体網状構造体１ｃを積み重ね、これらの外面を前記の被覆材１０で被覆して跳躍具１Ｅを形成したものである。
【００７２】
立体網状構造体１は、前記のように線条２を一方向に流して製造されるために、その線条２に方向性がある。そこで、図１０においては、立体網状構造体１ｄと立体網状構造体１ｅを、相互の線条２の方向を変えて積み重ね、また、立体網状構造体１ｆを、その線条２の方向が立体網状構造体１ｅの線条２の方向と異なる方向にして積み重ねたものである。すなわち、複数の立体網状構造体を、線条２の方向を相互に変えて積み重ねたものである。
【００７３】
この実施例によれば、立体網状構造体を複数積み重ねて高反発力を得ることができる上に、線条２の方向を変えることにより、全面にわたってより均等な反発力を得ることができる。
【００７４】
なお、図１０に示すように複数の立体網状構造体を積み重ねるものにおいて、図１０の組み合わせではなく、密度の異なる立体網状構造体を所望に組み合わせて積み重ね、所望の反発力を有する跳躍具を形成するようにしてもよい。すなわち、弾性係数が異なる立体網状構造体を所望の組み合わせで積み重ねて所望の反発力を有する跳躍具を形成するようにしてもよい。このように、弾性係数を変えるには、前記の密度の変更に限らず線条２の太さや、材質を変えることによって、立体網状構造体の弾性係数を変えてもよい。
【００７５】
図１１は跳躍具の第６実施例を示すもので、前記図５に示す立体網状構造体１の表面に、ゴムなどの弾性を有する板材１１を積み重ね、これらの外面を前記と同様の被覆材１０で被覆して跳躍具１１Ｆを形成したものである。
【００７６】
本実施例によれば、図５に示す実施例の効果を有し、かつ、板材１３の硬さなどによって立体網状構造体１の反発力を調節することができる。
なお、この実施例においても、図１０に示すような複数の立体網状構造体１ｄ〜１ｆ上に板材１３を載置してもよい。
【００７７】
次に前記の跳躍具１Ａを用いた跳躍装置を図１２乃至図１５により説明する。
図１２は前記の立体網状構造体１からなる跳躍具１Ａを、屋外の平らな地面や屋内の平らな床面などの平坦面Ｆ１に敷設して跳躍装置２１Ａを形成した例である。
【００７８】
この場合には、装置全体を、１枚の立体網状構造体からなる跳躍具１Ａで形成してもよいが、図１２に示すように所定の大きさ（面積）の跳躍具１Ａを必要数連続して敷設するとよい。
【００７９】
この跳躍装置２１Ａにおいても前記図５の跳躍具１Ａと同様の作用、効果を発揮できる。
【００８０】
図１３は、前記跳躍具１Ａを、屋外や屋内の傾斜した面Ｆ２に敷設して跳躍装置２１Ｂを形成したものである。この場合も、装置全体を、１枚の立体網状構造体からなる跳躍具１Ａで形成してもよいが、図１３に示すように、所定の大きさ（面積）の跳躍具１Ａを必要数連続して敷設するとよい。
【００８１】
この例では、傾斜した跳躍装置の表面を人が滑り台のように滑ったり転がりながら、かつ、前記のような高反発力によって飛び跳ねて遊ぶことができる。
【００８２】
図１４は屋外或いは屋内に曲面Ｆ３を形成し、この曲面Ｆ３に前記の跳躍具１Ａを敷設して跳躍装置２１Ｃを形成したものである。この場合も、装置全体を、１枚の立体網状構造体からなる跳躍具１Ａで形成してもよいが、図１４に示すように所定の大きさ（面積）の跳躍具１Ａを必要数連続して敷設するとよい。
【００８３】
この場合、跳躍具１Ａは、その構造から容易に湾曲させることができるため、このような曲面Ｆ３でも容易に敷設することができる。この場合も人が滑ったり転がりながら、かつ、前記のような高反発力によって飛び跳ねて遊ぶことができる。
【００８４】
更に、跳躍具１Ａを図１４に示すように、緩衝用の壁１Ｇとして使用することもできる。
【００８５】
図１５は、屋外や屋内の平坦面に、前記の立体網状構造体からなる跳躍具１Ａを、複数積み重ねて多層とするとともに、下層から上層に至るにつれて、跳躍具１Ａの表面積を小さくして段状に形成し、跳躍装置２１Ｄを形成したものである。
【００８６】
この実施例では、人が階段状の面を高反発力で跳躍しながら昇り降りして遊ぶことができ、更に、上層に至るにつれて跳躍具１Ａの積み重ね数が増大するため、上層に至るにつれて飛び跳ね高さが大きくなり、遊戯性を高めることができる。
【００８７】
なお、前記図１２乃至図１５に示す実施例の跳躍装置２１Ａ〜２１Ｄにおいては、その跳躍具として前記図５に示す跳躍具１Ａを用いて説明したが、前記跳躍装置２１Ａ〜２１Ｄは、前記図７乃至図１１に示す跳躍具１Ｂ〜１Ｆのうちの一種類、あるいはこれらの組み合わせにより形成しても良い。このようにすると、図７乃至図１１に示す跳躍具１Ｂ〜１Ｆの各効果を発揮して跳躍装置を形成できる。
【００８８】
なお、前記実施例では、立体網状構造体１の線条２を前記の樹脂で形成したが、この線条２の材料として、その他、伸縮性のあるアクリルゴムやニトリルゴム等の熱可塑性の伸縮性材料を使用して前記のような製造方法により立体網状構造体１を形成しても良い。
【００８９】
次に、前記の跳躍具（立体網状構造体）１Ａを複数平面的に接続したり、立体的に積み重ねる場合に、これらの跳躍具１Ａ相互を連結する構造について説明する。
【００９０】
前記の跳躍具１Ａを２個単に平面的に接触させて並べたのみであると、図１６に示すように、跳躍時に人の足Ｆが跳躍具１Ａの縁部に着地すると、その着地した跳躍具１Ａのみがへこみ、両跳躍具１Ａ，１Ａとの接触面Ｅに段差Ｈが生じ、移動しながら跳躍する場合にこの段差Ｈに足が当たる不都合がある。
【００９１】
そこで、前記の不都合を解消するために、図１７乃至図２１に示す実施例では、平面的に隣接する跳躍具１Ａ，１Ａとの接続部に、図１７及び図１８に示すように可撓性材料からなる板状の接続板を、両跳躍具１Ａ，１Ａに跨るように載置したものである。
【００９２】
図１９は前記の接続板とその止具を示すもので、接続板３１は、ゴム板や樹脂板などの可撓性を有する板材で形成されており、その長さＬ１は、図１７に示すように、連接する跳躍具１Ａ，１Ａの接触面方向の長さＬ２と略同長に形成され、また幅Ｄ１は、両跳躍具１Ａ，１Ａに跨る所望の長さに設定するもので、図２１に示すように、一方の跳躍具１Ａにかかる接続板３１上に着地してこの接続板３１がへこんだ場合に、その接続板３１の他端側が他方の跳躍具１Ａの接続縁を同様にへこませることができる長さに設定されている。
【００９３】
前記接続板３１には、両跳躍具１Ａ，１Ａが配置される両側に位置して、止具３２が複数個設けられている。該止具３２は、ゴムや樹脂などの可撓性を有するベルト３３の一端側を接続板３１に連結し、他端側にフック３４を備えて形成されている。ベルト３３の接続板３１への連結は、例えば図示のように、接続板３１に穴３５を形成してこの穴３５にベルト３３の一端を挿通して折り返し、この折り返し部３３ａをベルト３３の本体へかしめ具３６によりかしめ固定し、また、フック３４はかしめ具３７によりベルト本体へかしめ固定する。
【００９４】
前記の接続板３１を両跳躍具１Ａ，１Ａ間に架設するには、先ず、接続板３１を図１７，図１８に示すように、その中央部が両跳躍具１Ａ，１Ａ相互の接触面Ｅに位置するようにして両跳躍具１Ａ，１Ａに跨るように載置し、次に、各止具３２を若干引っ張った状態でそのフック３４を両跳躍具１Ａ，１Ａの線条２に引っ掛ける。これにより、図１７及び図１８に示すように、両跳躍具１Ａ，１Ａの接触面Ｅ上が接続板３１で被覆されるとともに、両跳躍具１Ａ，１Ａ相互が連結される。
【００９５】
この連結状態で、図２１に示すように、人の足Ｆが一方の跳躍具１Ａの接続側の縁部に着地すると、接続板３１が図２１に示すように下方へわん曲し、この接続板３１とともに他方の跳躍具１Ａの接続側の縁部も同様にわん曲する。そのため、両跳躍具１Ａ，１Ａの相互の接触面Ｅに、前記図１６に示すような段差Ｈは発生しない。したがって、移動しながら跳躍する場合に足が段差に当たることがなく、前記の不都合が解消される。また、このような連結により、両跳躍具１Ａ，１Ａ相互が跳躍中に離間することも防止できる。
【００９６】
なお、前記の例では、２個の跳躍具１Ａ，１Ａを接続する場合を示したが、跳躍具１Ａを平面的に３個以上並設する場合には、それぞれの接触面部に前記の接続板３１を配置するとともに止具３２により前記のように連結する。更に、四方に跳躍具１Ａを連設する場合には、前記の接続板３１の四辺にそれぞれ前記の止具３２を設けて四方の跳躍具１Ａを連結する。
【００９７】
次に、跳躍具１Ａを図１８に示すように複数個積み重ねた場合に、これらの積み重ね状態を保持する場合について説明する。
この場合は、図１８に示すように、前記のベルト３３の両端に前記のフック３４を付設したものを用いる。前記の接続板３１は用いない。なお、ベルト３３の長さは、積み重ねた跳躍具１Ａの高さ分の長さとする。
【００９８】
そして、一方のフック３４を最下層の跳躍具１Ａの下面に引っ掛け、ベルト３３を跳躍具１Ａの側面に配置し、他方のフック３４を最上層の跳躍具１Ａの上面に引っ掛ける。これにより、積み重ねられた複数個の跳躍具１Ａの積み重ね状態を、跳躍によって崩れることなく保持することができる。
【００９９】
なお、上記のように積み重ねる場合には、図１８に示すように１つの層とこの層の上層又は下層において接触面Ｅが同一垂直上に重ならないようにするとよい。
【０１００】
前記図１７、図１８、図２１は、前記図５に示す跳躍具１Ａを用いた例であるが、図７に示す跳躍具１Ｂを用いて、これを複数個、前記の接続板３１と止具３２で前記のように連結してもよい。
【０１０１】
更に、前記図８乃至図１１に示す構造において、その立体網状構造体を平面的に複数個配置して、これらを前記の接続板３１と止具３２で前記と同様に連結し、この連結状態で、その立体網状構造体と接続板３１と止具３２の全てを、図８乃至図１１に示す被覆材１０で被覆してもよい。このように被覆すると、跳躍時に接続板３１や止具３２が足に直接当たらない効果がある。
【０１０２】
更に、図１２乃至図１５に示す跳躍装置において、各跳躍具１Ａを前記の接続板３１と止具３２で前記のように連結してもよい。また、跳躍装置として前記のように跳躍具１Ｂ乃至１Ｆを用いた場合にも前記のように接続板３１と止具３２で連結してもよい。
なお、前記の止具３２の代わりに、面ファスナーなどの他の連結手段を用いて接続板３１と立体網状構造体を連結してもよい。
【図面の簡単な説明】
【０１０３】
【図１】本発明の跳躍具の実施例を示す斜視図。
【図２】図１の立体網状構造体の線条の絡み状態を示す拡大図。
【図３】図２の線条の２例を示す斜視図。
【図４】線条の製造方法の実施例を示す図。
【図５】本発明の跳躍具の第１実施例を示す側面図。
【図６】図５の跳躍具における反発力を示す図。
【図７】本発明の跳躍具の第２実施例を示す側面図。
【図８】本発明の跳躍具の第３実施例を示す側断面図。
【図９】本発明の跳躍具の第４実施例を示す側断面図。
【図１０】本発明の跳躍具の第５実施例を示す側断面図。
【図１１】本発明の跳躍具の第６実施例を示す側断面図。
【図１２】本発明の跳躍装置の第１実施例を示す側面図。
【図１３】本発明の跳躍装置の第２実施例を示す側面図。
【図１４】本発明の跳躍装置の第３実施例を示す側面図。
【図１５】本発明の跳躍装置の第４実施例を示す側面図。
【図１６】本発明の跳躍具において段差が生じた状態を示す図。
【図１７】本発明の跳躍具を連結した平面図。
【図１８】図１７の側断面図。
【図１９】図１７の接続板と止具を示す平面図。
【図２０】図１９の止具部分の斜視図。
【図２１】本発明の接続板による跳躍具のへこみ状態を示す図。
【符号の説明】
【０１０４】
１  立体網状構造体
２  線条
３  溶着部
４  空隙
１Ａ〜１Ｆ  跳躍具
１ａ  主体部
１ｂ  表面部分
１ｃ  密度の大きい立体網状構造体
１０  被覆材
１１  弾性材からなる板材
２１Ａ〜２１Ｄ  跳躍装置
３１  接続板
３２  止具
３３  ベルト
３４  フック
【図１】
2005224453.tif 000003
【図２】
2005224453.tif 000004
【図３】
2005224453.tif 000005
【図４】
2005224453.tif 000006
【図５】
2005224453.tif 000007
【図６】
2005224453.tif 000008
【図７】
2005224453.tif 000009
【図８】
2005224453.tif 000010
【図９】
2005224453.tif 000011
【図１０】
2005224453.tif 000012
【図１１】
2005224453.tif 000013
【図１２】
2005224453.tif 000014
【図１３】
2005224453.tif 000015
【図１４】
2005224453.tif 000016
【図１５】
2005224453.tif 000017
【図１６】
2005224453.tif 000018
【図１７】
2005224453.tif 000019
【図１８】
2005224453.tif 000020
【図１９】
2005224453.tif 000021
【図２０】
2005224453.tif 000022
【図２１】
2005224453.tif 000023